(57)【要約】【課題】ペアガラスのガラス板とスペーサの分離が容易にでき、廃材の分別を容易にすることにより地球環境の保護を図ることができるペアガラスユニット及びこれを備えた遊技台を提供する。【解決手段】ペアガラス１１の縁に取り付けたスぺーサ１３を押え部材１５で押えるペアガラスユニット１において、スペーサ１３はペアガラス１１の縁に当接する基端部１９とペアガラス１１の内側空間に挿入する挿入部２１ａ、２１ｂとを有し、押え部材１５は一方のガラス１１ａの外側面２２に位置する一側面部２３と、他方のガラス１１ｂの外側面２２に位置する他側面部２５と、一側面部２３と他側面部２５との間に設けてありスぺーサ１３の基端部１９の外周側に配置する外周側部２７とを有し、押え部材１５の一側面部２３と他側面部２５とを粘着材３０でガラス面に粘着固定してある。【選択図】図１
2011160838.tif 000002
【特許請求の範囲】
【請求項１】
ペアガラスと、ペアガラスの縁に取り付けてペアガラス間の間隔を保持するスペーサと、スペーサをペアガラスに押さえる押え部材とを備え、スペーサはペアガラスの縁に当接する基端部とペアガラスの内側空間に挿入する挿入部とを有し、押え部材は一方のガラスの外側面に位置する一側面部と、他方のガラスの外側面に位置する他側面部と、一側面部と他側面部との間に設けてありスぺーサの基端部の外周側に配置する外周側部とを有し、押え部材の一側面部と他側面部とを粘着材でガラス面に粘着固定してあることを特徴とするペアガラスユニット。
【請求項２】
押え部材の外周側部には一側面部側と他側面部側とに分離するように切断を案内する切断案内部が設けてあることを特徴とする請求項１に記載のペアガラスユニット。
【請求項３】
押え部材の切断案内部は、切断方向に間隔をあけて形成した孔であることを特徴とする請求項２に記載のペアガラスユニット。
【請求項４】
押え部材の切断案内部に形成した孔は切断方向に長い長孔であり、隣りあう長孔間には、長孔間からずれた位置に補助孔が形成してあることを特徴とする請求項３に記載のペアガラスユニット。
【請求項５】
スペーサはペアガラスの周囲に亘って設けてあり、押え部材はペアガラスの周方向に間隔をあけて複数設けてあることを特徴とする請求項１〜４のいずれか一項に記載のペアガラスユニット。
【請求項６】
請求項１〜５のいずれか一項に記載のペアガラスユニットを、遊技盤の前面に設けた装飾枠に固定したことを特徴とする遊技台。
【発明の詳細な説明】
【技術分野】
【０００１】
本発明は、ペアガラスユニット及びこれを備えた遊技台に関する。
【背景技術】
【０００２】
特許文献１には、遊技台の前面に設けたペアガラスユニットにおいて、ペアガラスのガラス間にスペーサ（ガラスフレーム）を配置すると共に、スぺーサをペアガラスの縁に固定することが開示されている。
この特許文献１には、スペーサの固定方法については具体的に開示されていないが、一般的には、スペーサはペアガラスの各内側面に接触する両側の接触面と、ペアガラスの縁に当接する当接面とに接着材を塗布して、ペアガラスに接着固定されている。
【先行技術文献】
【特許文献】
【０００３】
【特許文献１】特開２００８−１１９２４６号公報
【発明の概要】
【発明が解決しようとする課題】
【０００４】
しかし、従来のペアガラスユニットは、スペーサがペアガラスの両内側面と縁とに接着材で固定されているため、遊技台を廃棄する際には、ペアガラスのガラス板（ガラス）とスペーサ（樹脂材や金属材）との分離が困難なため、廃材の分別ができず、地球環境に好ましくないという問題があった。
【０００５】
そこで、本発明は、ペアガラスのガラス板とスペーサの分離が容易にでき、廃材の分別を容易にすることにより地球環境の保護を図ることができるペアガラスユニット及びこれを備えた遊技台を得ることを目的とする。
【課題を解決するための手段】
【０００６】
請求項１に記載の発明は、ペアガラスと、ペアガラスの縁に取り付けてペアガラス間の間隔を保持するスペーサと、スペーサをペアガラスに押さえる押え部材とを備え、スペーサはペアガラスの縁に当接する基端部とペアガラスの内側空間に挿入する挿入部とを有し、押え部材は一方のガラスの外側面に位置する一側面部と、他方のガラスの外側面に位置する他側面部と、一側面部と他側面部との間に設けてありスぺーサの基端部の外周側に配置する外周側部とを有し、押え部材の一側面部と他側面部とを粘着材でガラス面に粘着固定してあることを特徴とする。
【０００７】
請求項２に記載の発明は、請求項１に記載の発明において、押え部材の外周側部には一側面部側と他側面部側とに分離するように切断を案内する切断案内部が設けてあることを特徴とする。
【０００８】
請求項３に記載の発明は、請求項２に記載の発明において、押え部材の切断案内部は、切断方向に間隔をあけて形成した孔であることを特徴とする。
【０００９】
請求項４に記載の発明は、請求項３に記載の発明において、押え部材の切断案内部に形成した孔は切断方向に長い長孔であり、隣りあう長孔間には、長孔間からずれた位置に補助孔が形成してあることを特徴とする。
【００１０】
請求項５に記載の発明は、請求項１〜４のいずれか一項に記載の発明において、スペーサはペアガラスの周囲に亘って設けてあり、押え部材はペアガラスの周方向に間隔をあけて複数設けてあることを特徴とする。
【００１１】
請求項６に記載の発明は、請求項１〜５のいずれか一項に記載のペアガラスユニットを、遊技盤の前面に設けた装飾枠に固定したことを特徴とする遊技台である。
【発明の効果】
【００１２】
請求項１に記載の発明では、ペアガラスの縁に取り付けてペアガラスの間隔を保持するスペーサには、接着材が塗布されておらず、スペーサをペアガラスの縁に押さえる押え部材は、一側面部と他側面部とをペアガラスの外側面に粘着材で接着してあるので、押え部材の一側面部と他側面部とをペアガラスから引き剥がすことで、スペーサをペアガラスから容易に分離できる。したがって、ペアガラスと、スペーサと、押え部材とに廃材の分別が容易にでき地球環境の保護を図ることができる。
更に、スペーサはペアガラスの縁に配置するだけであり、スペーサには接着材の塗布が不要なので、ペアガラスユニットの製造が容易であると共に、従来必要であった塗布した接着材の乾燥時間も不要であるから、作業時間の短縮を図ることができる。また、スぺーサに接着剤が不要である点でも、地球環境の保護に優れている。
押え部材の引き剥がしは、一側面部と他側面部とを各々ペアガラスの外側面で行うので、引き剥がしがし易い。
【００１３】
請求項２に記載の発明では、請求項１に記載の作用効果を奏すると共に、押え部材を切断案内部に沿って切断することにより、一側面部と他側面部とを分離して各々個別に引き剥しできるから、押え部材の引き剥がしが更に容易である。
【００１４】
請求項３に記載の発明では、請求項２に記載の作用効果を奏すると共に、押え部材の切断案内部に孔を形成するだけであるから、構成が簡易である。
【００１５】
請求項４に記載の発明では、請求項３に記載の作用効果を奏すると共に、例えば、切断案内部に沿って切断するときに、手で一側面部を他側面部から切断して分離しようとしたときに、偏った力が作用して仮に切断位置が長孔からずれた場合でも、補助孔により切断位置が修正されるから、切断方向に沿った切断が容易にできる。
【００１６】
請求項５に記載の発明では、請求項１〜４のいずれか一項に記載の作用効果を奏すると共に、押え部材はペアガラスの全周囲になく、周方向に間隔をあけて設けてあるので、粘着箇所が少なくて済み押え部材の分離がし易いと共に、材料の使用量を軽減できる。
【００１７】
請求項６に記載の発明では、請求項１〜５のいずれか一項に記載の作用効果を奏する遊技台を提供できる。
【図面の簡単な説明】
【００１８】
【図１】（ａ）は本実施の形態に係るペアガラスユニットの正面図であり、（ｂ）は（ａ）に示すＡーＡ断面図であり、（ｃ）は（ａ）示すＢーＢ位置を上から見た平面図である。
【図２】押え部材を展開して示す分解斜視図である。
【図３】押え部材の引き剥がし操作を示す斜視図である。
【図４】押え部材の引き剥がし操作を示す斜視図である。
【図５】本実施の形態にかかる遊技台の斜視図である。
【図６】本実施の形態の変形例にかかる押え部材を展開して示す分解斜視図である。
【発明を実施するための形態】
【００１９】
以下に、添付図面を参照して、本発明の実施の形態を詳細に説明する。図５に示すように、ペアガラスユニット１は、遊技台（パチンコ台）３の遊技盤５の前面を覆うものであり、遊技台３は、遊技盤５が設けられた本体７と、本体７に対してヒンジにより開閉自在な装飾枠９と、装飾枠９に取り付けられるペアガラスユニット１とを備えている。
【００２０】
ペアガラスユニット１は、図１（ｂ）に示すように、２枚のガラス板１１ａ、１１ｂを間隔をあけて配置してペアガラス１１と、ペアガラスの縁１４に取付けるスぺーサ１３と、スぺーサ１３をペアガラス１１の縁１４に押さえる押え部材１５とから構成されている。
【００２１】
スぺーサ１３は、ガラス板１１ａ、１１ｂ間の内側空間１７の間隔を保持するものであり、ペアガラス１１の縁１４にその全周に亘って配置されている。スぺーサ１３は、ペアガラスの縁１４に当接する基端部１９と、基端部１９からガラス板１１ａ、１１ｂ間に延出してペアガラス１１の内側空間１７に挿入する２つの挿入部２１ａ、２１ｂとを有し、２つの挿入部２１ａ、２１ｂは対向するガラス板１１ａ、１１ｂの各内側面１６に当接している。尚、スぺーサ１３は、樹脂材製又は金属製である。
【００２２】
押え部材１５は、図１（ａ）に示すように、ペアガラス１１の周方向に間隔をあけて配置されており、スぺーサ１３をペアガラス１１の縁１４に押さえている。図１（ｂ）に示すように、押え部材１５は、一方のガラス板１１ａの外側面２２に位置する一側面部２３と、他方のガラス板１１ｂの外側面２２に位置する他側面部２５と、スぺーサ１３の基端部１９の外周側に位置する外周側部２７とから構成されている。
押え部材１５は、樹脂製板であり、図２にその展開図を示すように、一枚の板を、折り目２９を谷折りして形成されている。尚、押え部材１５は、アルミ等の金属又は紙であっても良い。図１（ｂ）に示すように、一側面部２３と他側面部２５とには、各々対面するガラス板１１ａ、１１ｂ側に粘着材３０が設けてあり、本実施の形態では、粘着材３０は両面テープである。
図１（ｃ）及び図２に示すように、押え部材１５の外周側部２７には、一側面部２３と他側面部２５との間にペアガラス１１の周方向に沿って形成された切断案内部３１が形成されている。
切断案内部３１は、外周側部２７を一側面部２３側と他側面部２５側とに分離するように周方向に沿って切断するものであり、切断方向を案内するように間隔をあけて複数の長孔３３が形成されている。隣り合う長孔３３間の接続部分３５の左右（長孔間からずれた位置）には、補助孔３７が形成されている。
【００２３】
次に、本実施の形態によるペアガラスユニット１の製造及び廃棄処理について説明する。
ペアガラスユニット１の製造は、ペアガラス１１の周縁において、一方のガラス板１１ａと他方のガラス板１１ｂとの間にスペーサ１３を配置する。スぺーサ１３の配置は、基端部１９をペアガラス１１の縁１４に当接させて挿入部２１ａ、２１ｂをペアガラス１１の内側空間１７に配置する（図１（ｂ）参照）。
一方、図２に実線で示すように、押え部材１５は、粘着材３０を一側面部２３及び他側面部２５に貼着して展開した状態で、外周側部２７をスぺーサ１３の基端部１９に外周側から押し当て、一側面部２３と他側面部２５を外周側部２７に対して谷折にして、一側面部２３と他側面部２５を各々ペアガラス１１の外側面２２に押し付けることで、一側面部２３と他側面部２５の粘着材３０が各々対面するガラス板１１ａ、１１ｂの外側面２２に粘着固定される。以上の工程により、ペアガラスユニット１を製造する。
ペアガラスユニット１を廃棄する場合には、カッタ等で押え部材１５の外周側部２７を一側面部２３側と他側面部２５側とに切断する。外周側部２７の切断は、カッタ等により切断案内部３１の長孔３３間に切れ目を入れ、図３に示すように、外周側部２７を一側面部２３側と他側面部２５側とに分離し、分離した部分を指（二点鎖線で示す）Ｆで持って、一側面部２３を貼着している一方のガラス板１１ａの外側面２２から引き剥がす。
尚、カッタによる切断が十分でない場合や、ドライバ等をスぺーサ１３の基端部１９と押え部材１５の外周側部２７との間に差し込んで分離しようとする場合には、図４に示すように、切断案内部３１において長孔３３間の接続部分３５に偏った力が作用して切れ目がずれた場合でも補助孔３７により切断方向が修正されるから、多少ずれた切断になっても外周側部２７を一側面部２３側と他側面部２５側との２つの部分に分離し易い。
図３及び図４に示すように、押え部材１５を一側面部２３側と他側面部２５とに分離した後、一側面部２３と他側面部２５を各々ガラス面から引き剥がして、押え部材１５を除去した後、スぺーサ１３をペアガラス１１の縁１４から引き抜きいてペアガラス１１から外す。
【００２４】
本実施の形態によれば、ペアガラス１１の縁１４に取り付けるスペーサ１３には、従来技術と異なり接着材が塗布されておらず、スペーサ１３をペアガラス１１の縁に押さえる押え部材１５は、一側面部２３と他側面部２５とを各々ペアガラス１１の外側面２２、２２に粘着材３０で固定してあるので、押え部材１５をペアガラス１１から引き剥がすことで、スペーサ１３をペアガラス１１から容易に分離できる。したがって、ガラス板１１ａ、１１ｂと、スペーサ（樹脂材製又は金属製）１３と、押え部材（樹脂材製）１５との廃材分別が容易にでき地球環境の保護を図ることができる。
更に、スペーサ１３はペアガラス１１の縁に配置するだけであり、スぺーサ１３に接着剤の塗布が不要なので、ペアガラスユニット１の製造が容易である。
【００２５】
押え部材１５を切断案内部３１に沿って切断することにより、押え部材１５を一側面部２３側と他側面部２５側とに分離して各々個別に引き剥しできるから、押え部材１５の引き剥がしが容易にできる。
【００２６】
押え部材１５の切断案内部３１は複数の長孔３３を間隔をあけて形成するだけであるから、構成が簡易である。
押え部材１５の外周側部２７には、長孔３３、３３間からずれた位置に補助孔３７が形成してあるので、切断案内部３１に沿って切断するときに、偏った力が作用して仮に切断位置が長孔３３からずれた場合でも、補助孔３７により切断位置が修正されるから、一方向に沿った切断が容易にできる。
【００２７】
押え部材１５はペアガラス１１の全周囲になく、周方向に間隔をあけて設けてあるので粘着材３０による粘着面積が少なくて済み、押え部材１５の分離がし易いと共に全周囲に設ける場合に比較して材料の使用量を軽減できる。
【００２８】
本発明は、上述した実施の形態に限らず、本発明の要旨を逸脱しない範囲で種々変形可能である。
例えば、ペアガラスユニット１は、遊技台３に限らず、自動販売機やサッシ等に用いるものであっても良い。
図６に示すように、押え部材１５の折り目２９には、折り目を案内する孔２９ａを形成して、折り易くしても良い。
請求項１〜４に記載の発明において、スぺーサ１３は、ペアガラス１１の全周に亘って設けることに限らず、周方向に間隔をあけて配置するものであっても良い。
請求項１〜３に記載の発明においては、切断案内部の孔３３は長孔に限らず、ミシン目等であっても良い。
【符号の説明】
【００２９】
１      ペアガラスユニット
３      遊技台
１１    ペアガラス
１１ａ  一方のガラス板（ガラス）
１１ａ  一方のガラス板（ガラス）
１３    スぺーサ
１５    押え部材
１７    内側空間
１９    基端部
２１ａ  挿入部
２１ｂ  挿入部
２３    一側面部
２５    他側面部
２７    外周側部
３０    粘着材
３１    切断案内部
３３    長孔
３７    補助孔
【図１】
2011160838.tif 000003
【図２】
2011160838.tif 000004
【図３】
2011160838.tif 000005
【図４】
2011160838.tif 000006
【図５】
2011160838.tif 000007
【図６】
2011160838.tif 000008